(57)【特許請求の範囲】
【請求項１】
それぞれの凹所構造がある複数の閉じ込め要素を含む本体と、
複数の弾性要素と、
ローラー車軸および複数のローラーを含み、そこで前記ローラー車軸は前記凹所構造内に部分的に収容され、前記ローラーは前記ローラー車軸の周りで覆われる伝動部材と、
前記閉じ込め要素のそれぞれの凹所構造内に配置され、そこで各固定要素には基部があり、前記基部には対応する弾性要素で維持される表面および前記ローラー車軸で維持される裏面がある複数の固定要素と、および、
前記弾性要素で維持される押さえ板とを備え、そこで該押さえ板が前記本体上に固定される第一端部と該第一端部の周りで枢動可能な第二端部を有し、前記本体が前記押さえ板の第二端部の側に目盛りを有し、および前記押さえ板の前記第二端部が前記目盛りの１つを指し示す指針を有する、事務機器の用紙案内調節機構であって、
前記弾性要素によって発生する力は、前記凹所構造で前記ローラー車軸の移動が可能になるように、均一に配分され、下方に伝えられ、それによって紙シートを前記事務機器の転送チャネルへ円滑に案内することを特徴とする、事務機器の用紙案内調節機構。
【請求項２】
前記各閉じ込め要素は、前記凹所構造の形を協力して定める２つの分離した曲面板を含み、それによって前記ローラー車軸の移動を、前記紙シートの進む方向で限定することを特徴とする、請求項１に記載の用紙案内調節機構。
【請求項３】
複数のスロットは、前記ローラーに対応する場所で前記本体内に形成され、前記ローラーは対応するスロットに部分的にはめ込まれる、請求項１に記載の用紙案内調節機構。 
【請求項４】
前記スロットは、２つごとの隣接する閉じ込め要素の間に位置することを特徴とする、請求項３に記載の用紙案内調節機構。
【請求項５】
前記弾性要素は、ばねであることを特徴とする、請求項１に記載の用紙案内調節機構。
【請求項６】
各前記固定要素は、対応する弾性要素をその中に収容するための容器の形を協力して定める２つの分離した曲面を含むことを特徴とする、請求項１に記載の用紙案内調節機構。
【請求項７】
前記押さえ板の第一端部および第二端部は前記本体上に固定されることを特徴とする、請求項１に記載の用紙案内調節機構。
【請求項８】
ガラス台と、
前記ガラス台の下に配置される画像処理モジュールと、
用紙案内調節機構を含む自動文書送り装置を備える事務機器であって、前記用紙案内調節機構は、それぞれ凹所構造のある複数の閉じ込め要素を含む本体と、
複数の弾性要素と、
ローラー車軸および複数のローラーを含む伝動部材と、そこで前記ローラー車軸は、前記凹所構造に部分的に収容され、前記ローラーは前記ローラー車軸の周りで覆われ、
前記閉じ込め要素のそれぞれの凹所構造に配置される複数の固定要素と、そこで各固定要素には基部があり、前記基部には対応する弾性要素で維持される表面および前記ローラー車軸で維持される裏面があり、および、
前記弾性要素で維持される押さえ板とを備え、そこで該押さえ板が前記本体上に固定される第一端部と該第一端部の周りで枢動可能な第二端部を有し、前記本体が前記押さえ板の第二端部の側に目盛りを有し、および前記押さえ板の前記第二端部が前記目盛りの１つを指し示す指針を有する、事務機器の用紙案内調節機構であって、
前記弾性要素によって発生する力は、前記凹所構造で前記ローラー車軸の移動が可能になるように、均一に配分され、下方に伝えられ、それによって紙シートを前記事務機器の転送チャネルへ円滑に案内することを特徴とする、事務機器の用紙案内調節機構。
【発明の詳細な説明】
【技術分野】
【０００１】
本発明は、用紙案内調節機構に関し、特に自動文書送り装置の用紙案内調節機構および当該機構を使用する事務機器に関する。
【背景技術】
【０００２】
パソコンの影響力が増大するにつれて、さまざまな目的を達成するために、多様な事務機器を、パソコンとともに利用することができる。しかしながら、多様な事務機器は、大きなスペースを占める。例えばプリンター、スキャナー、ファックス装置とコピー機の両方またはそのいずれかの機能など、１つの構造単位に多量の機能のある多機能周辺機器は、よって開発される。結果として、多機能周辺機器の処理能力は増強され、その操作スペースは縮小される。
【０００３】
今日では、プリンター、スキャナー、ファックス装置、コピー機または多機能周辺機器には、普通連続的かつ継続的に多くの紙シートを送り込むための自動文書送り装置がある。スキャンされる多量の紙が自動文書送り装置の用紙投入トレー上に置かれた後、自動文書送り装置の給紙機構は、走査、ファックス送信、走査操作などの関連操作を実行するために、事務機器の内部に紙シートを連続的に運ぶ。
【０００４】
図１を参照すると、事務機器とともに使用するための従来の自動文書送り装置の概略断面図が図示される。図１の自動文書送り装置１０は、ケーシング１１、給紙機構１２、転送モジュール１３、取り出しモジュール１４、用紙投入トレー１５および用紙取り出しトレー１６を主として含む。スキャンされる多量の紙１５１が用紙投入トレー１５上に置かれた後、給紙機構１２は、最上部の紙シートを１枚ずつ、自動文書送り装置１０の内部の通路に連続的に取りあげる可能性がある。なおその上に、ピックアップ・モジュール１２には、紙シート１５１を給紙ポートに円滑に運ぶのを容易にするために、多量の紙シート１５１の前端部で維持される停止板１２１がある。本事務機器はさらに、自動文書送り装置１０の下に、画像処理モジュール３およびガラス台４を含む。
【０００５】
スキャンされる多量の紙１５１が用紙投入トレー１５上に置かれた後、給紙機構１２は、最上部の紙シートを１枚ずつ、自動文書送り装置１０の内部の通路に連続的に取りあげる可能性がある。次に、紙シート１５１は、転送チャネル１３３を通って、転送モジュール１３の用紙案内部材１３１および１３２によって運ばれる。いったん紙シート１５１がガラス台４を越えて運ばれれば、紙シート１５１の第一面は、画像処理モジュール３によってスキャンされる。第一面がスキャンされた紙シート１５１は、その後取り出しモジュール１４によって用紙取り出しトレー１６に取り出される。二重走査操作を実行する目的のために、転送モジュール１３はさらに、取り出しモジュール１４の近くの反転部材１３４を含む。紙シート１５１の第一面がスキャンされ、紙シート１５１の大部分が用紙取り出しトレー１６に取り出された後、紙シート１５１は、反転部材１３４によってひっくり返され、その後通路に送り込まれる。次に、紙シート１５１は、転送チャネル１３３を通って、転送モジュール１３の用紙案内部材１３１および１３２によって運ばれる。いったん紙シート１５１がガラス台４を越えて運ばれれば、紙シート１５１の第二面は、画像処理モジュール３によってスキャンされる。
【０００６】
図２ａおよび２ｂを参照すると、転送モジュール１３の用紙案内部材１３１の概略断面図が図示される。用紙案内部材１３１は、押さえ板１３１１、複数のばね１３１２、複数のローラー１３１３およびローラー車軸１３１４を含む。ローラー１３１３は、ローラー車軸の周りで覆われ、その車軸に固定される。各ローラー１３１３について、２つのばね１３１２は、その両側にそれぞれ配置される。ばね１３１２の第一端部は、ローラー車軸１３１４で維持される。ローラー１３１３が紙シート１５１を案内し、運ぶために回転される間、ローラー車軸１３１４は、同方向にローラー１３１３で回転される。ローラー１３１３の直径がローラー車軸の直径より大きいので、ローラー１３１３が回転されるとき、ローラー車軸１３１４の中心は位置を変えられるであろう。例えば、ローラー１３１３が逆時計方向に回転されるとき、ローラー車軸１３１４の中心は、図２ａに示されるとおり位置Ａから、図２ｂに示されるとおり左位置Ｂに移動される可能性がある。ばね１３１２がローラー車軸１３１４で維持されるので、ローラー１３１４の接触面は弓形である。ローラー車軸１３１４の弓形接触面のために、バネ１３１２は、その上に及ぼす力が均一でない場合、すぐに傾斜する。この状況下で、ローラー１３１３の両側に及ぼす力もまた均一でなく、よって、紙シート１５１は用紙案内部材１３１によって案内されると、普通傾斜している。
【０００７】
特に二重走査操作または両面印刷走査が実行される時、紙シート１５１は、反転部材によってひっくり返され、その後通路に送り込まれる。次に、紙シート１５１は、転送チャネル１３３を通って転送モジュール１３によって運ばれる。傾斜した紙シート１５１を修正するために追加手段が用いられない場合、画像処理モジュール３の読み取り線によってスキャンされた後の紙シートの画質は下がる。
【０００８】
従来の機構に起因する上記の不都合を考慮して、出願人は、用紙案内調節機構および当該機構を使用する事務機器を開発するために、本発明に従って精魂を傾けた経験および研究を通じてたゆまずに開拓し続ける。
【発明の開示】
【発明が解決しようとする課題】
【０００９】
本発明の目的は、傾斜した紙シートの発生を最小限度に抑え、よって画質を高めるための用紙案内調節機構を提供することである。
【００１０】
本発明の別の目的は、当該用紙案内調節機構のある事務機器を提供することである。
【課題を解決するための手段】
【００１１】
本発明の一態様に従って、事務機器の用紙案内調節機構が提供される。用紙案内調節機構は、本体、複数の弾性要素、伝動部材、複数の固定要素および押さえ板を含む。本体は、それぞれ凹所構造がある複数の閉じ込め要素を含む。伝動部材は、ローラー車軸および複数のローラーを含み、そこでローラー車軸は、凹所構造に部分的に収容され、ローラーは、ローラー車軸の周りで覆われる。固定要素は、閉じ込め要素のそれぞれの凹所構造の中に配置され、そこで各固定要素には基部があり、その基部には、対応する弾性要素で維持される表面およびローラー車軸で維持される裏面がある。押さえ板は弾性要素で維持される。該押さえ板が前記本体上に固定される第一端部と該第一端部の周りで枢動可能な第二端部を有し、前記本体が前記押さえ板の第二端部の側に目盛りを有し、および前記押さえ板の前記第二端部が前記目盛りの１つを指し示す指針を有する。ローラー車軸が同方向にローラーとともに回転するとき、弾性要素によって発生する力は、凹所構造でローラー車軸の移動が可能になるように、均一に配分され、下方に伝えられ、それによって紙シートを事務機器の転送チャネルへ円滑に案内する。
【００１２】
本発明の別の態様に従って、事務機器が提供される。事務機器は、ガラス台、画像処理モジュールおよび自動文書送り装置を含む。画像処理モジュールは、ガラス台の下に配置される。自動文書送り装置は、用紙案内調節機構を含む。用紙案内調節機構は、本体、複数の弾性要素、伝動部材、複数の閉じ込め要素および押さえ板を含む。本体は、それぞれの凹所構造のある複数の閉じ込め要素をふくむ。伝動部材は、ローラー車軸および複数のローラーを含み、そこでローラー車軸は、凹所構造に部分的に収容され、ローラーは、ローラー車軸の周りで覆われる。固定要素は、閉じ込め要素のそれぞれの凹所構造の中に配置され、そこで各固定要素には基部があり、その基部には、対応する弾性要素で維持される表面およびローラー車軸で維持される裏面がある。押さえ板は弾性要素で維持される。該押さえ板が前記本体上に固定される第一端部と該第一端部の周りで枢動可能な第二端部を有し、前記本体が前記押さえ板の第二端部の側に目盛りを有し、および前記押さえ板の前記第二端部が前記目盛りの１つを指し示す指針を有する。ローラー車軸が同方向にローラーとともに回転するとき、弾性要素によって発生する力は、凹所構造でローラー車軸の移動が可能になるように、均一に配分され、下方に伝えられ、それによって紙シートを事務機器の転送チャネルへ円滑に案内する。
【００１３】
本発明の上記内容は、以下の詳細な説明および添付図面を検討した後、当業者にとってより容易に明らかになるであろう。
【発明を実施するための最良の形態】
【００１４】
本発明は、これから以下の実施形態を参照して、より明確に説明される。本発明の好適な実施形態の以下の説明は、図示および説明目的のみのために本明細書に提示されることに留意しなくてはならない。それは、包括的または開示される厳密な形式に限定されることを意図していない。
【００１５】
図３を参照すると、本発明の好適な実施形態による事務機器とともに使用するための自動文書送り装置の概略断面図が図示される。本発明の事務機器は、プリンター、スキャナー、ファックス装置、コピー機または多機能周辺機器などを含む。以下に、本発明はスキャナーまたはプリンターを参照することによって図示される。図３に示されるとおり、自動文書送り装置２０は、ケーシング２１、給紙機構２２、転送モジュール２３、取り出しモジュール２４、用紙投入トレー２５および用紙取り出しトレー２６を主に含む。事務機器は、自動文書送り装置２０の下に画像処理さらにモジュール３およびガラス台４をさらに含む。スキャンされる多量の紙シート２５１が用紙投入トレー２５に置かれた後、給紙機構２２は、最上部の紙シートを１枚ずつ取り、自動文書送り装置２０内部の通路に連続して入れる可能性がある。
【００１６】
転送モジュール２３は、用紙案内調節機構２３１および２３２、転送チャネル２３３および反転部材２３４を含む。最上部の紙シートが自動文書送り装置２０の内部の通路に１枚ずつ送り込まれた後、紙シート２５１は、転送チャネル２３３を通って、転送モジュール２３の用紙案内調節機構２３１および２３２によって運ばれる。いったん紙シート２５１がガラス台４を越えて運ばれると、紙シート２５１の第一面は、画像処理モジュール３によってスキャンされる。第一面がスキャンされた紙シート２５１は、その後取り出しモジュール２４によって用紙取り出しトレー２６に取り出される。反転部材２３４は、二重走査操作を実行するために、取り出しモジュール２４の近くに配置される。紙シート２５１の第一面がスキャンされ、紙シート２５１の過半数が用紙取り出しトレー２６に取り出された後、紙シート２５１は、反転部材２３４によってひっくり返され、その後、通路に送り込まれる。次に、紙シート２５１は、転送チャネル２３３を通って、転送モジュール２３の用紙案内調節機構２２３１および２３２によって運ばれる。いったん紙シート２５１がガラス台４を越えて運ばれると、紙シートの第二面は、画像処理モジュール３によってスキャンされる。
【００１７】
図４を参照すると、図３の自動文書送り装置で使用される用紙案内部材２３１の概略分解組立図が図示される。図３および４に示されるとおり、用紙案内部材２３１は、押さえ板２３１１、複数の弾性要素２３１２（例えば、ばね）、伝動部材２３１３、転送モジュール２３の本体２３１５および複数の固定要素２３１７を含む。伝動部材２３１３は、複数のローラー２３１３ａおよびローラー車軸２３１３ｂを含む。これらのローラー２３１３ａは、ローラー車軸２３１３ｂの周りで覆われる。なおその上に、複数の閉じ込め要素２３１８は、ローラー車軸２３１３ｂおよび弾性要素２３１２を適切な位置にとどめるために、転送モジュールの本体２３１５上に配置される。複数のスロット２３１６は、ローラー２３１３ａに対応する場所の本体２３１５内に形成される。なおその上に、各スロット２３１６は、２つごとの近くの閉じ込め要素２３１８の間に位置する。ローラー２３１３ａは、ローラー２３１３ａがスロット２３１６を通って紙シート２５１（図３に示されるとおり）と接触しているように、対応する紙シート２５１を案内するスロット２３１６に部分的にはめ込まれる。実施形態のなかには、これらの閉じ込め要素２３１８が、本体２３１５上に一体化して形成されるものもある。この実施形態においては、各閉じ込め要素２３１８は、２つの分離した曲面板２３１８ａを含む。空隙が、これら２つの曲面板２３１８ａの間に形成され、凹所構造２３１８ｂの形を定め、それはローラー車軸２３１３ｂに実質的に平行である。ローラー車軸２３１３ｂがこれらの閉じ込め要素２３１８の凹所構造２３１８ｂ内部に収容された後、固定要素２３１７および弾性要素２３１２は、凹所構造２３１８ｂ内部に連続的に収容される可能性がある。
【００１８】
図５は、用紙案内部材２３１で使用される固定要素２３１７の概略斜視図である。図４および図５を参照してください。固定要素２３１７は、基部２３１７ａおよび２つの分離した曲面薄片２３１７ｂを含む。基部２３１７ａには、表面および対応する弾性要素２３１２およびローラー車軸２３１３ｂのそれぞれと接触する裏面がある。なるべくなら、弾性要素２３１２によって発生する力を均一に配分し、下方に伝えるのを容易にするために、基部２３１７ａの表面および裏面は水平であることが望ましい。結果として、弾性要素２３１２およびローラー車軸２３１３ｂは、基部２３１７ａでしっかりと維持され、それによって、傾斜した弾性要素の発生を最小限度に抑える。実施形態のなかには、弾性要素２３１２を中に収容するために、曲面薄片２３１７ｂによって容器２３１７ｃの形を定められるように、分離した曲面板２３１７ｂは、基部２３１７ａの外縁から突き出されるものもある。その上、固定要素２３１７の容器２３１７ａは、対応する閉じ込め要素２３１８の凹所構造２３１８ｂと実質的に一線上にそろえられる。ローラー車軸２３１３ｂが閉じ込み要素２３１８の凹所構造２３１８ｂ内部に収容された後、固定要素２３１７はまた、それぞれの閉じ込め要素２３１８の凹所構造２３１８ｂ内部に収容され、固定要素２３１７の曲面薄片２３１７ｂは、閉じ込め要素２３１８の曲面板２３１８ａによってしっかり固定される。各固定要素２３１７の２つの曲面薄片２３１７ｂの間の空隙がローラー車軸２３１３ｂに垂直であるので、固定要素２３１７の容器２３１７ｃは、対応する閉じ込め要素２３１８の曲面板２３１８ａによって保護される可能性がある。結果として、弾性要素２３１２は、それぞれの固定要素２３１７の容器２３１７ｃ内部にしっかりと収容される。なおその上に、ローラー車軸２３１３ｂは閉じ込め要素２３１８および固定要素２３１７の間に配置される（図６ａを参照）。一方では、対応する弾性要素２３１２およびローラー車軸２３１３ｂは、固定要素２３１７の基部２３１７ａの表面および裏面それぞれと接触している。
【００１９】
ローラー２３１３ａの動きを説明する概略図である図６ａおよび６ｂを参照してください。以下に、用紙案内部材２３１を組み立てる工程は、図４および図６ａおよび６ｂを参照して図示されるであろう。まず最初に、ローラー車軸２３１３ｂは、本体２３１５に取り付けられ、これらの閉じ込め要素２３１８の凹所構造２３１８ｂ内部に部分的に収容される。ローラー２３１３ａは、ローラー２３１３ａがスロット２３１６を通って紙シート２５１と接触しているように、対応するスロット２３１６に部分的にはめ込まれる。次に、固定要素２３１７は、それぞれの閉じ込め要素２３１８の曲面薄片２３１７ｂ内部に収容され、そこで固定要素２３１７の曲面薄片２３１７ｂは、容器２３１７ｃを取り囲むように、閉じ込め要素２３１８の曲面板２３１８ａによってしっかり固定される。次に、弾性要素２３１２は、それぞれの固定要素２３１７の容器２３１７ｃ内部に収容される。その後、押さえ板２３１１は、弾性要素２３１２上に置かれ、締め付け要素２３１４（例えば、ねじ）によって、その後本体２３１５上に固定される。一方、用紙案内部材２３１は、組み立てられている。
【００２０】
いったんローラー２３１３ａが時計方向に回転されれば、図６ａに示されるとおり、ローラー車軸２３１３ｂの中心は、位置Ｃから位置Ｃ’に移動される。一方で、いったんローラー２３１３ａが反時計方向に回転されれば、図６ｂに示されるとおり、ローラー車軸２３１３ｂの中心は、位置Ｄから位置Ｄ’に移動される。弾性要素２３１２とローラー車軸２３１３ｂの間の基部２３１７ａの平らな面が弾性要素２３１２およびローラー車軸２３１３ｂでしっかりと維持されるので、ローラー車軸２３１３ｂがどのように移動されようと、弾性要素２３１２は、もはや傾斜していない。結果として、弾性要素２３１２は、傾斜せず、逸れることもない。その上、弾性要素２３１２が、曲面薄片２３１７ｂおよび閉じ込め要素２３１８の曲面板２３１８ａによって形を定められる容器２３１７ｃの中に留められるので、弾性要素２３１２によって発生する力は、均一に配分され、ローラー車軸２３１３ｂに下方に伝えられるであろう。結果として、紙シート２５１は、本発明の用紙案内調節機構によって、傾斜したり、それたりすることなく、円滑に案内されるであろう。
【００２１】
図４の用紙案内部材を説明する参照してください。図７に示されるとおり、押さえ板２３１１の第一端部は、本体２３１５上に固定され、押さえ板２３１１の第二端部は、第一端部の周りで枢動可能である。なおその上に、本体２３１５には、押さえ板２３１１の第二端部の側に目盛り２３１５ａがある。押さえ板２３１１の第二端部には、目盛り２３１５ａの１つを指し示す指針がある。
指針２３１１ａによって指し示される目盛り２３１５ａを参照することによって、紙シート２５１の進み角は調整され、その後画像化ソフトウェア（図示されず）によって探知される。いったん紙シート２５１の光学進み角が得られれば、押さえ板２３１１の第二端部は締め付け要素２３１４（例えば、ねじ）によって、本体２３１５上に固定される。一方、紙シート２５１は、転送チャネル２３３を通って運び、その後画像処理モジュール３によってスキャンされ、それによってより鮮明な画像を実現するために、用紙案内調節機構２３１によって円滑に案内される。
【００２２】
上記実施形態は、用紙案内調節機構２３１を参照することによって図示される。用紙案内調節機構２３２の操作原理および構成は、用紙案内調節機構２３１の操作原理および構成と実質的には全く同じであり、本書では重複して説明されない。なおその上に、用紙案内調節機構２３２の本体２３２５には、図８で見られるとおり、弓型面がある。紙シート２５１が用紙案内調節機構２３１によって円滑に案内されたので、用紙案内調節機構２３２の押さえ板２３２１は、本体２３２５上に固定される可能性がある。その代わりに用紙案内調節機構２３２の場所は、さまざまである可能性があり、紙シート２５１の進み角は、製造業者の設計によって調整される可能性がある。
【００２３】
上記説明から、固定要素の基部には平面があるので、弾性要素によって発生した力は、傾斜した弾性要素の発生を最小限度に抑えるように、均一に配分される可能性がある。結果として、紙シートは、本発明の用紙案内調節機構によって円滑に案内され、よって画像処理モジュールの読み取り線によってスキャンされた後の紙シートの画質は高められる。
【００２４】
本発明が現在最も実用的かつ好適な実施形態であるとみなされるものに関して説明されてきたが、本発明は、開示される実施形態に限定される必要はないことが理解されなくてはならない。一方、最も広い解釈と一致しなくてはならない添付請求項の精神および範囲内に含まれるさまざまな修正および類似の装置を、すべての当該修正および類似の構造を網羅するために、対象に取り扱うことを目的とする。
【図面の簡単な説明】
【００２５】
【図１】事務機器とともに使用するための従来の自動文書送り装置の概略断面図
【図２ａ】図１に示される用紙案内部材を説明する概略断面図であり、そこでローラー車軸の中心は、位置Ａと位置Ｂの間で移動される。
【図２ｂ】図１に示される用紙案内部材を説明する概略断面図であり、そこでローラー車軸の中心は、位置Ａと位置Ｂの間で移動される。
【図３】本発明の好適な実施形態による事務機器とともに使用するための自動文書送り装置の概略断面図
【図４】図３の自動文書送り装置で使用される用紙案内部材の概略分解組立図
【図５】図４の用紙案内部材で使用される固定要素の概略斜視図
【図６ａ】図４に示される用紙案内調節機構を説明する概略断面図であり、そこでローラーは時計方向に回転される。
【図６ｂ】図４に示される用紙案内調節機構を説明する概略断面図であり、そこでローラーは反時計方向に回転される。
【図７】図４の用紙案内部材を説明する上面図
【図８】図３の自動文書送り装置で使用される別の用紙案内部材の概略分解組立図
【符号の説明】
【００２６】
３          画像処理モジュール
４          ガラス台
１０        自動文書送り装置
１１        ケーシング
１２        給紙機構
１３        転送モジュール
１４        取り出しモジュール
１５        用紙投入トレー
１６        用紙取り出しトレー
２０        自動文書送り装置
２１        ケーシング
２２        給紙機構
２３        転送モジュール
２４        取り出しモジュール
２５        用紙投入トレー
２６        用紙取り出しトレー
１２１      停止板
１３１      用紙案内部材
１３２      用紙案内部材
１３３      転送チャネル
１３４      反転部材
１５１      紙シート
２３１      用紙案内調節機構
２３２      用紙案内調節機構
２３３      転送チャネル
２３４      反転部材
２５１      紙シート
１３１１    押さえ板
１３１２    バネ
１３１３    ローラー
１３１４    ローラー
２３１１    押さえ板
２３１１ａ  指針
２３１２    弾性要素
２３１３    伝動部材
２３１３ａ  ローラー
２３１３ｂ  ローラー車軸
２３１４    締め付け要素
２３１５    本体
２３１５ａ  目盛り
２３１６    スロット
２３１７    固定要素
２３１７ａ  容器
２３１７ｂ  曲面薄片
２３１７ｃ  容器
２３１８    閉じ込め要素
２３１８ａ  曲面板
２３１８ｂ  凹所構造
２３２１    押え板
２３２５    本体
【図１】
0004947599.tif 000002
【図２ａ】
0004947599.tif 000003
【図２ｂ】
0004947599.tif 000004
【図３】
0004947599.tif 000005
【図４】
0004947599.tif 000006
【図５】
0004947599.tif 000007
【図６ａ】
0004947599.tif 000008
【図６ｂ】
0004947599.tif 000009
【図７】
0004947599.tif 000010
【図８】
0004947599.tif 000011